(57)【要約】【課題】ターボファンの騒音を低減することができる空調用室内ユニットおよび天井埋込型空気調和機を提供することができるようにする。【解決手段】空気を流入させる吸込口２０を有するケーシング１７内に、駆動部１８と、駆動部１８により駆動されるファン１９と、空気を加熱または冷却する室内熱交換器２２とを設けてなり、駆動部１８が、ケーシング１７の天板２４に固定され、ファン１９が、吸込口２０から吸込んだ空気を昇圧して送り出し、室内熱交換器２２が、ファン１９により送り出された空気を加熱または冷却し、ファン１９により送り出された空気の一部が、ケーシング１７内を通って、ファン１９の上流側へ還流する空調用室内ユニット１１において、ファン１９の回転領域に流入する空気の流速を均一化させる、流速均一化手段３４、３５、３６を備えることを特徴とする。【選択図】  図２
2004156886.tif 000002
【特許請求の範囲】
【請求項１】
空気を流入させる吸込口を有するケーシング内に、前記ケーシングの天板に固定された駆動部と、該駆動部により駆動されるファンと、空気を加熱または冷却する室内熱交換器とを設けてなり、
前記ファンが、前記吸込口から吸込んだ空気を昇圧して送り出し、
前記室内熱交換器が、前記ファンにより送り出された空気を加熱または冷却し、
前記ファンにより送り出された前記空気の一部が、前記ケーシング内を通って、前記ファンの上流側へ還流する空調用室内ユニットにおいて、
前記還流する空気の流速を、均一化させる流速均一化手段を備えることを特徴とする空調用室内ユニット。
【請求項２】
請求項１記載の空調用室内ユニットにおいて、
前記ファンが、前記天板に対向するように設けられた主板と、該主板に対向する位置に設けられたシュラウドと、前記主板と前記シュラウドの間に配置された第一の羽根とを備え、
前記主板が、空気が流通する第一の流通孔を備え、
前記ファンに送り出された空気の一部が、前記天板と前記主板との間を経由し、前記第一の流通孔を抜けて、前記第一の羽根の上流側へ流入する、第一の還流経路が形成され、
前記流速均一化手段が、前記第一の還流経路に設けられることを特徴とする空調用室内ユニット。
【請求項３】
請求項２記載の空調用室内ユニットにおいて、
前記流速均一化手段が、前記主板の前記天板側に、前記主板と間隙を構成するように配置された円盤を備え、
前記円盤が、前記第一の流通孔より半径方向外側に、前記主板との間で絞りを形成する環状突起を備えることを特徴とする空調用室内ユニット。
【請求項４】
請求項２記載の空調用室内ユニットにおいて、
前記流速均一化手段が、前記主板との間で絞りを形成する第一の円筒壁を備えることを特徴とする空調用室内ユニット。
【請求項５】
請求項２記載の空調用室内ユニットにおいて、
前記流速均一化手段が、前記主板の上面に第二の羽根を備え、
前記第二の羽根が、前記駆動部により回転され、空気を半径方向外側へ送り出すことを特徴とする空調用室内ユニット。
【請求項６】
請求項２記載の空調用室内ユニットにおいて、
前記流速均一化手段が、前記主板と前記天板との間の空間と、前記室内熱交換器の下流側とを繋ぐパイプを備え、
前記パイプが、空気を前記室内熱交換器の下流側へバイパスさせることを特徴とする空調用室内ユニット。
【請求項７】
請求項２記載の空調用室内ユニットにおいて、
前記流速均一化手段が、前記主板に、その中心軸に対して、等間隔環状配置された多数の第二の流通孔の列を、半径方向の距離を変えて多数備えることを特徴とする空調用室内ユニット。
【請求項８】
請求項１記載の空調用室内ユニットにおいて、
前記ファンに送り出された空気の一部が、前記シュラウドと前記吸込口との間を経由して、前記第一の羽根の上流側に流入する第二の還流経路が形成され、
前記流速均一化手段が、前記第二の還流経路に設けられることを特徴とする空調用室内ユニット。
【請求項９】
請求項８記載の空調用室内ユニットにおいて、
前記流速均一化手段が、前記シュラウドとの間で絞りを形成する第二の円筒壁を備えることを特徴とする空調用室内ユニット。
【請求項１０】
請求項２記載の空調用室内ユニットにおいて、
前記ファンに送り出された空気の一部が、前記シュラウドと前記吸込口との間を経由して、前記第一の羽根の上流側に流入する第二の還流経路が形成され、
前記流速均一化手段が、前記第二の還流経路に設けられることを特徴とする空調用室内ユニット。
【請求項１１】
空気を流入させる吸込口を有するケーシング内に、前記ケーシングの天板に固定された駆動部と、該駆動部により駆動されるファンと、空気を加熱または冷却する室内熱交換器とを設けてなり、
前記ファンが、前記吸込口から吸込んだ空気を昇圧して送り出し、
前記室内熱交換器が、前記ファンにより送り出された空気を加熱または冷却する空調用室内ユニットにおいて、
請求項３から７、および９に記載の前記流速均一化手段を、少なくとも二つ以上組み合わせて備えることを特徴とする空調用室内ユニット。
【請求項１２】
請求項１から１１のいずれかに記載の空調用室内ユニットと、
冷媒を圧縮する圧縮機、および冷媒と室外の空気との熱交換を行う室外熱交換器を有する空調室外ユニットと、
前記空調室内ユニットおよび前記空調室外ユニットを連結するとともに、冷媒が、これら空調用室内ユニットおよび空調室内ユニットの間で循環するための冷媒配管とを具備してなることを特徴とする天井埋込型空気調和機。
【発明の詳細な説明】
【０００１】
【発明の属する技術分野】
本発明は、本体ケーシングが天井面内に埋設される空調用室内ユニット、および、この空調用室内ユニットを具備する天井埋込型空気調和機に関する。
【０００２】
【従来の技術】
図１４は、天井面内に埋設された天井埋込型空気調和機１００の空調用室内ユニット１１０の断面図である。
図１４において、空調用室内ユニット１１０は、ケーシング１１１と、ケーシング１１１に固定されたモータ１１２と、モータ１１２で駆動されるターボファン１１３と、室内の空気を吸込む吸込口１１４と、吸込んだ空気をターボファン１１３に導くベルマウス１１５と、空気を加熱または冷却する室内熱交換器１１６と、熱交換した空気の出口である吹出口１１７とを主な要素として構成されている。
【０００３】
モータ１１２は、ケーシング１１１の天板１１８の略中央に、主軸１１９を略鉛直下方に向けて固定されている。主軸１１９には、ターボファン１１３が接続され、このターボファン１１３は、天板１１８に対向した主板１２０と、その下方で主板１２０に対向したシュラウド１２１と、主板１２０とシュラウド１２１との間に等間隔環状配置された羽根１２２とで構成されている。主板１１３には、主軸１１９を中心に、４個の冷却孔１２３が等間隔環状に設けられている。シュラウド１２１は、ベルマウス１１５の上端を幅Ｌ１の間隙を持って覆うように配置されている。
【０００４】
上記の構成において、室内の空気は、吸込口１１４から空調用室内ユニット１１０内に流入し、ベルマウス１１５を通って、モータ１１２によって駆動されるターボファン１１３に導かれる。ターボファン１１３に導かれた空気は、昇圧されて、室内熱交換器１１６に送り出される。室内熱交換器１１６において、空気は、加熱または冷却されることによって、所望の温度に調節され、吹出口１１７から室内に戻される。
【０００５】
また、図１５に示すように、ターボファン１１３により、昇圧された空気の一部が、モータ１１２を冷却するために、主板１１３と天板１１８との間を通り、モータ１１２の周囲を流れ、冷却孔１２３を通過して、圧力の低いターボファン１１３の羽根１２２の上流側に還流している（上部還流経路ｒ１）。
【０００６】
それとは別に、同じくターボファン１１３により、昇圧された空気の一部が、シュラウド１２１の下方を通り、シュラウド１２１とベルマウス１１５との間隙を抜けて、圧力の低いターボファン１１３の羽根１２２の上流側に還流している（下部還流経路ｒ２）。
これは、回転するシュラウド１２１と、回転しないベルマウス１１５との干渉を避ける間隔（クリアランス）を設けているため、発生する還流である（例えば、特許文献１参照。）。
【０００７】
【特許文献１】
特開平６−３４１６５９号公報  （第９頁、第７図）
【０００８】
【発明が解決しようとする課題】
ところで、上記の空調用室内ユニット１１０においては、室内熱交換器１１６が、平面部と角部とを有する略四角形をなすように配置されている。ターボファン１１３から、半径方向外方に対してターボファン１１３の回転方向に偏向して送り出された空気は、室内熱交換器１１６の平面部に斜めに衝突する。その空気の一部は平面部に沿って横方向に流れ、残りは平面部内部の冷媒と熱交換しながら、平面部を通過する。平面部に沿って流れた空気は、室内熱交換器１１６の角部に略垂直に衝突する。
空気と室内熱交換器１１６との衝突角度の違いにより、衝突領域における圧力上昇の度合いが変わるため、室内熱交換器１１６の内側における圧力分布は不均一となる。
【０００９】
室内熱交換器１１６内側の圧力分布が不均一となるので、室内熱交換器１１６内側と、ターボファン１１３の羽根１２２の上流との圧力勾配も不均一となり、上部還流経路ｒ１、および下部還流経路ｒ２を流れる空気の流量、流速も、周方向に向かって不均一となる。
【００１０】
ターボファン１１３の羽根１２２は、流速分布の不均一なところで回転するので、羽根１２２が、流速の不均一なところを通過するたびに音が発生する。そのため、ターボファン１１３は、その回転周波数の整数倍の成分が主成分である騒音を発生するという問題があった。
【００１１】
この発明は、このような事情を考慮してなされたもので、その目的は、ターボファンの騒音を低減することができる空調用室内ユニットおよび天井埋込型空気調和機を提供することにある。
【００１２】
【課題を解決するための手段】
本発明の空調用室内ユニットおよび天井埋込型空気調和機では、上記課題を解決するため、以下の手段を採用した。
請求項１にかかる発明は、空気を流入させる前記吸込口を有する前記ケーシング内に、前記ケーシングの前記天板に固定された前記駆動部と、該駆動部により駆動される前記ファンと、空気を加熱または冷却する前記室内熱交換器とを設けてなり、前記ファンが、前記吸込口から吸込んだ空気を昇圧して送り出し、前記室内熱交換器が、前記ファンにより送り出された空気を加熱または冷却し、前記ファンにより送り出された前記空気の一部が、前記ケーシング内を通って、前記ファンの上流側へ還流する空調用室内ユニットにおいて、前記還流する空気の流速を均一化させる、前記流速均一化手段を備えることを特徴とする。
【００１３】
この発明にかかる空調用室内ユニットによれば、前記ファンの回転領域に流入する空気の流速を均一化させる、前記流速均一化手段を備えるため、前記ファンに流入する空気の流速を均一にすることができる。そのため、前記ファンの回転周波数の整数倍の成分を主成分とする音を低減できる。
【００１４】
請求項２にかかる発明は、請求項１記載の空調用室内ユニットにおいて、前記ファンが、前記天板に対向するように設けられた前記主板と、該主板に対向する位置に設けられた前記シュラウドと、前記主板と前記シュラウドの間に配置された前記第一の羽根とを備え、前記主板が、空気が流通する前記第一の流通孔を備え、前記ファンに送り出された空気の一部が、前記天板と前記主板との間を経由し、前記第一の流通孔を抜けて、前記第一の羽根の上流側へ流入する、前記第一の還流経路が形成され、前記流速均一化手段が、前記第一の還流経路に設けられることを特徴とする。
【００１５】
この発明にかかる空調用室内ユニットによれば、前記流速均一化手段を、還流する空気が前記天板と前記主板との間を通る、前記第一の還流経路に備えるため、前記第一の還流経路を流れる空気の流速を均一化することができる。そのため、前記ファンに流入する空気の流速を均一にすることができ、前記ファンの回転周波数の整数倍の成分を主成分とする音を低減できる。
【００１６】
請求項３にかかる発明は、請求項２記載の空調用室内ユニットにおいて、前記流速均一化手段が、前記主板の前記天板側に、前記主板と間隙を構成するように配置された前記円盤を備え、前記円盤が、前記第一の流通孔より半径方向外側に、前記主板との間で絞りを形成する前記環状突起を備えることを特徴とする空調用室内ユニット。
【００１７】
この発明にかかる空調用室内ユニットによれば、前記流速均一化手段が、前記円盤を備え、前記円盤が、前記主板との間で絞りを形成する前記環状突起を有するため、前記第一の還流経路を流れる空気の流速を均一化することができる。
前記第一の還流経路を流れる空気は、前記主板と前記環状突起との絞りにより、一度、せき止められる。せき止められた空気は、前記環状突起の周囲に広がり、均一化された後、絞りを通過する。絞りを通過して均一化された空気は、前記流通孔を通り、前記ファンの上流側へ流入する。そのため、前記ファンに流入する空気の流速を均一にすることができ、前記ファンの回転周波数の整数倍の成分を主成分とする音を低減できる。
【００１８】
請求項４にかかる発明は、請求項２記載の空調用室内ユニットにおいて、前記流速均一化手段が、前記主板との間で絞りを形成する前記第一の円筒壁を備えることを特徴とする。
【００１９】
この発明にかかる空調用室内ユニットによれば、前記流速均一化手段が、前記主板との間で絞りを形成する前記第一の円筒壁を備えるため、前記第一の還流経路を流れる空気の流速を均一化することができる。
前記第一の還流経路を流れる空気は、前記主板と前記第一の円筒壁との絞りにより、一度、せき止められる。せき止められた空気は、前記第一の円筒壁の周囲に広がり、均一化された後、絞りを通過する。絞りを通過して均一化された空気は、前記ファンの上流側へ流入する。そのため、前記ファンに流入する空気の流速を均一にすることができ、前記ファンの回転周波数の整数倍の成分を主成分とする音を低減できる。
【００２０】
請求項５にかかる発明は、請求項２記載の空調用室内ユニットにおいて、前記流速均一化手段が、前記主板の上面に前記第二の羽根を備え、前記第二の羽根が、前記駆動部により回転され、空気を半径方向外側へ送り出すことを特徴とする。
【００２１】
この発明にかかる空調用室内ユニットによれば、前記主板が、その上面に前記第二の羽根を備えるため、前記ファンを駆動することにより、空気を半径方向外側へ送り出すことができる。空気を半径方向外側へ送り出すため、前記ファンの上流側へ還流する空気の流量が減る。そのため、還流する空気に起因する、前記ファンに流入する空気流速の不均一を少なくすることができる。
また、前記第二の羽根を回転させることにより、還流する空気を、かき混ぜることになり、還流する空気の流速を均一化させることができる。そのため、前記ファンに流入する空気の流速を均一にすることができ、前記ファンの回転周波数の整数倍の成分を主成分とする音を低減できる。
【００２２】
請求項６にかかる発明は、請求項２記載の空調用室内ユニットにおいて、前記流速均一化手段が、前記主板と前記天板との間の空間と、前記室内熱交換器の下流側とを繋ぐ前記パイプを備え、前記パイプが、空気を前記室内熱交換器の下流側へバイパスさせることを特徴とする。
【００２３】
この発明にかかる空調用室内ユニットによれば、前記ファンと前記天板との間の空間と、前記室内熱交換器の下流側とを繋ぐ前記パイプを備えるため、還流する空気を、前記室内熱交換器の下流側へバイパスさせることができる。そのため、前記ファンの上流側へ還流する空気の流量が減る。そのため、還流する空気に起因する、前記ファンに流入する空気流速の不均一を少なくすることができる。
【００２４】
請求項７にかかる発明は、請求項２記載の空調用室内ユニットにおいて、前記流速均一化手段が、前記主板に、その中心軸に対して、等間隔環状配置された多数の前記第二の流通孔の列を、半径方向の距離を変えて多数備えることを特徴とする。
【００２５】
この発明にかかる空調用室内ユニットによれば、前記流速均一化手段が、前記主板に、その中心軸に対して、等間隔環状配置された多数の前記流通孔の列を、半径方向の距離を変えて多数備えるため、前記第一の還流経路を流れる空気の流速を均一化することができる。
前記第一の還流経路を流れる空気は、前記流通孔を通過する際に、一度、せき止められる。せき止められた空気は、前記主板の前記天板側に溜まり、均一になって前記流通孔を通って、前記ファンの上流側に流入する。そのため、前記ファンに流入する空気の流速を均一にすることができ、前記ファンの回転周波数の整数倍の成分を主成分とする音を低減できる。
また、前記流通孔は、等間隔環状配置され、かつ、半径方向の距離を変えて多数列、配置されているので、前記第一の還流経路を流れる空気が、前記ファンの上流側に向かって、周方向に対して均一に、流入することができる。そのため、前記ファンの回転周波数の整数倍の成分を主成分とする音を低減できる。
【００２６】
請求項８にかかる発明は、請求項１記載の空調用室内ユニットにおいて、前記ファンに送り出された空気の一部が、前記シュラウドと前記吸込口との間を経由して、前記第一の羽根の上流側に流入する前記第二の還流経路が形成され、前記流速均一化手段が、前記第二の還流経路に設けられることを特徴とする。
【００２７】
この発明にかかる空調用室内ユニットによれば、前記流速均一化手段を、還流する空気が前記シュラウドと前記吸込口との間を通る、前記第二の還流経路に備えるため、前記第二の還流経路を流れる空気の流速を均一化することができる。そのため、前記ファンに流入する空気の流速を均一にすることができ、前記ファンの回転周波数の整数倍の成分を主成分とする音を低減できる。
【００２８】
請求項９にかかる発明は、請求項８記載の空調用室内ユニットにおいて、前記流速均一化手段が、前記シュラウドとの間で絞りを形成する前記第二の円筒壁を備えることを特徴とする空調用室内ユニット。
【００２９】
この発明にかかる空調用室内ユニットによれば、前記流速均一化手段が、前記シュラウドとの間で絞りを形成する前記第二の円筒壁を備えるため、前記第二の還流経路を流れる空気の流速を均一化することができる。
前記第二の還流経路を流れる空気は、前記シュラウドと前記第二の円筒壁との絞りにより、一度、せき止められる。せき止められた空気は、前記第二の円筒壁の周囲に広がり、均一化された後、絞りを通過する。絞りを通過して均一化された空気は、前記ファンの上流側へ流入する。そのため、前記ファンに流入する空気の流速を均一にすることができ、前記ファンの回転周波数の整数倍の成分を主成分とする音を低減できる。
【００３０】
請求項１０にかかる発明は、請求項２記載の空調用室内ユニットにおいて、前記ファンに送り出された空気の一部が、前記シュラウドと前記吸込口との間を経由して、前記第一の羽根の上流側に流入する前記第二の還流経路が形成され、前記流速均一化手段が、前記第二の還流経路に設けられることを特徴とする。
【００３１】
この発明にかかる空調用室内ユニットによれば、前記流速均一化手段を、還流する空気が前記天板と前記主板との間を通る、前記第一の還流経路と、還流する空気が前記シュラウドと前記吸込口との間を通る、前記第二の還流経路とに備えるため、前記第一の還流経路および前記第二の還流経路を流れる空気の流速を均一化することができる。そのため、前記ファンに流入する空気の流速をより均一にすることができ、前記ファンの回転周波数の整数倍の成分を主成分とする音をさらに低減できる。
【００３２】
請求項１１にかかる発明は、空気を流入させる吸込口を有する前記ケーシング内に、前記ケーシングの前記天板に固定された前記駆動部と、該駆動部により駆動される前記ファンと、空気を加熱または冷却する前記室内熱交換器とを設けてなり、前記ファンが、前記吸込口から吸込んだ空気を昇圧して送り出し、前記室内熱交換器が、前記ファンにより送り出された空気を加熱または冷却する空調用室内ユニットにおいて、請求項３から７、および９に記載の前記流速均一化手段を、少なくとも二つ以上組み合わせて備えることを特徴とする。
【００３３】
この発明にかかる空調用室内ユニットによれば、少なくとも二つ以上の前記流速均一化手段を、組み合わせて備えるため、前記ファンに流入する空気の流速をより均一にすることができ、前記ファンの回転周波数の整数倍の成分を主成分とする音をさらに低減できる。
【００３４】
請求項１２にかかる発明は、請求項１から９のいずれかに記載の空調用室内ユニットと、冷媒を圧縮する前記圧縮機、および冷媒と室外の空気との熱交換を行う前記室外熱交換器を有する空調室外ユニットと、前記空調室内ユニットおよび前記空調室外ユニットを連結するとともに、冷媒が、これら空調用室内ユニットおよび空調室内ユニットの間で循環するための冷媒配管とを具備してなることを特徴とする。
【００３５】
この発明にかかる天井埋込型空気調和機によれば、前記ファンの周方向に対して不均一な流速を持つ、前記ファンの上流側へ還流する空気の流れを、均一化する、または、その影響を小さくすることができる。
【００３６】
【発明の実施の形態】
以下、図面を参照し、この発明の実施の形態について説明する。図１から図６は、この発明の第一の実施形態を示す図である。
図１において、天井埋込型空気調和機１０は、空調用室内ユニット１１と、空調用室外ユニット１２と、冷媒配管１３とを主な要素として構成されている。
空調用室外ユニット１２は、冷媒を圧縮するための圧縮機１４と、冷媒と室外の空気と熱交換を行う室外熱交換器１５と、室外の空気を室外熱交換器１５に吹き付ける室外ファン１６とを備えている。
冷媒配管１３は、空調用室内ユニット１１および空調用室外ユニット１２の間で冷媒を循環できるように配置されている。
【００３７】
空調用室内ユニット１１は、図１および図２に示すように、ケーシング１７と、ケーシング１７内に配置された、モータ（駆動部）１８と、モータ１８により回転されるターボファン（ファン）１９と、室内の空気が流入する吸込口２０と、空気を吸込口２０からターボファン１９に導くベルマウス（吸込口）２１と、空気を加熱または冷却する室内熱交換器２２と、空気を室内に流出させる吹出口２３とを主な要素として構成されている。
ケーシング１７は、鉄板からなる構造部１７Ａと、その外側に設けられた、発泡材などからなる断熱部１７Ｂとを備えて構成されている。また、ケーシング１７の上部は、略平面をなす天板２４が形成されている。
【００３８】
天板２４の略中央には、モータ１８が、その主軸２５を略鉛直下方に向けるように固定され、主軸２５の端部には、ターボファン１９が固定されている。
ターボファン１９は、主軸２５に固定された主板２６と、主板２６に対向するシュラウド２７と、主板２６とシュラウド２７との間に、第一の羽根２９が等間隔円環状に配置されている。
【００３９】
主板２６には、図３に示すように、その中心が、下方へすり鉢状に凹んだ中央部２６Ａと、中央部２６Ａの外周部から半径方向外方へ延存し、わずかに内方へ下るように傾斜した延在部２６Ｂとが形成されている。中央部２６Ａには、図４に示すように、４個の第一の冷却孔（第一の流通孔）２８が、主軸２５の周囲に等間隔円環状に配置されている。なお、図４においては、表現を簡潔にするため、第一の羽根２９の記載を一部省略している。
【００４０】
シュラウド２７には、図３に示すように、ベルマウス２１の上端から間隔Ｌ１の間隙をもって、ベルマウス２１を覆う曲面部２７Ａと、曲面部２７Ａの外周部上端から半径方向外方へ延在し、内方へ下るように傾斜した平面部２７Ｂとが形成されている。
第一の羽根２９は、主板２６とに対しては、延在部２６Ｂにて結合され、シュラウド２７とに対しては、平面部２７Ｂにて結合されている。
【００４１】
ベルマウス２１は、図２および図３に示すように、ターボファン１９の下方に配置され、ベルマウス２１の下方に、室内空気の吸込口２０が配置されている。ベルマウス２１の上面には、モータ１８や、吹出口２３などを、制御等する電子機器３０を納める電装箱３１が設けられ、電装箱３１は円環状に形成され、ベルマウス２１の上面に配置されている。
【００４２】
ターボファン１９の周囲には、室内熱交換器２２が、略四角形状に設けられている。室内熱交換器２２は、図５に示すように、略平面形状の平板部２２Ａと、隣接した平板部２２Ａをつなぐ曲率半径の小さな第一の角部２２Ｂ、および曲率半径の大きな第二の角部２２Ｃとから構成され、配管などの機器を収納する収納部３２が、室内熱交換器２２の一つの角部を切り欠くように配置されている。
【００４３】
主板２６の中央部２６Ａには、図３に示すように、その上面に絞り円盤（円盤）３３が設けられている。絞り円盤３３には、主軸２５に結合され、略平面をなす底面部３３Ａと、底面部３３Ａの外周部から半径方向外方へ延存し、内方に向かって下るように傾斜した傾斜部３３Ｂと、傾斜部３３Ｂの下面側に、中央部２６Ａとの間で間隔Ｌ２の絞りを形成する環状突起（流速均一化手段）３４とが設けられている。環状突起３４は２重に設けられ、主軸２５を中心として、円環状に配置されている。
【００４４】
天板２４には、図３および図６に示すように、主板２６の延在部２６Ｂと間隔Ｌ３の絞りを形成するように、主軸２５を中心とする第一の円筒壁（流速均一化手段）３５が設けられ、電装箱３１には、シュラウド２７の平面部２７Ｂと間隔Ｌ４の絞りを形成するように、主軸２５を中心とする第二の円筒壁（流速均一化手段）３６が設けられている。
【００４５】
上記の構成からなる天井埋込型空気調和機１０においては、図１に示すように、冷媒は、空調用室外ユニット１２内の圧縮機１４により圧縮され、室外熱交換器１５において室外空気に熱を放出し、液化し、冷媒配管１３を通り、空調用室内ユニット１１に流入する。空調用室内ユニット１１に流入した冷媒は、膨張弁（図示せず）により減圧され、室内熱交換器２２に流入し、室内空気の熱を吸収し、蒸発する。蒸発した冷媒は、冷媒配管１３を通り、再び圧縮機１４に戻り圧縮される。
【００４６】
または、冷媒は、空調用室外ユニット１２内の圧縮機１４により圧縮され、冷媒配管１３を通って、空調用室外ユニット１１の室内熱交換器２２に流入して、室内空気に熱を放出し、液化する。液化した冷媒は、膨張弁（図示せず）により減圧され、冷媒配管１３を通って、空調用室外ユニット１２の室外熱交換器１５に流入し、室外空気の熱を吸収し、蒸発する。蒸発した冷媒は、再び圧縮機１４に戻り、圧縮される。
【００４７】
空調用室内ユニット１１においては、図２に示すように、室内の空気は、モータ１８により回転駆動されるターボファン１９の働きで、吸入口２０から空調用室内ユニット１１に流入する。吸入口２０から流入した空気は、ベルマウス２１により、ターボファン１９内部に導かれ、主板２６とシュラウド２７との間の第一の羽根２９により、昇圧される。そして、図５に示すように、半径方向からターボファン１９の回転方向へ偏向した方向へ送り出される。
【００４８】
ターボファン１９から送り出された空気は、室内熱交換器２２の平板部２２Ａに衝突し、一部は平板部２２Ａに沿って横方向へ流れ、残りは、平板部２２Ａ内部の冷媒と熱交換を行いながら、平板部２２Ａを通過する。平板部２２Ａに沿って流れた空気は、第一の角部２２Ｂおよび収納部３２に略垂直に衝突し、図７の圧力分布図に示すように、圧力上昇部Ｈを形成する。
【００４９】
その後、室内熱交換器２２を通り抜けて、その内部の冷媒と熱交換し、任意の温度に調節された空気は、吹出口２３から室内に流出する。
【００５０】
図７の圧力分布図に示すような、圧力の不均一な空気は、その一部が、圧力の低いターボファン１９の第一の羽根２９上流側へ還流する。室内熱交換器２２内側の圧力分布が不均一なため、第一の羽根２９上流側との圧力差も不均一になり、その流量、流速の不均一となる。
【００５１】
図３に示すように、ターボファン１９の主板２６と天板２４との間を通り、モータ１８を冷却して、第一の冷却孔２８から第一の羽根２９の上流側へ還流する経路（以後、第一の還流経路Ｒ１と表記）を流れる空気は、まず、第一の円筒壁３５にせき止められる。せき止められた空気は、第一の円筒壁３５の周囲に広がり、流量、流速が均一化され、幅Ｌ３の間隙を通り抜ける。その後、還流する空気はモータ１８を冷却し、絞り円盤３３の環状突起３４にせき止められる。せき止められた空気は、環状突起３４の周囲に広がり、流量、流速がさらに均一化され、幅Ｌ２の間隙を通り抜ける。そして、第一の冷却孔２８を通り抜けて、第一の羽根２９の上流側へ還流する。
【００５２】
また、ターボファン１９のシュラウド２７と電装箱３１との間を通り、シュラウド２７とベルマウス２１との間を通って、第一の羽根２９の上流側に還流する経路（以後、第二の還流経路Ｒ２と表記）を流れる空気は、まず、第二の円筒壁３６にせき止められる。せき止められた空気は、第二の円筒壁３６の周囲に広がり、流量、流速が均一化され、幅Ｌ４の間隙を通り抜ける。その後、還流する空気は、シュラウド２７とベルマウス２１との幅Ｌ１の間隙を通って、第一の羽根２９の上流側に還流する。
【００５３】
上記の構成によれば、第一の還流経路Ｒ１を流れる空気は、主板２６と環状環状突起３４との絞りにより、一度、せき止められ、その流速を均一化されて、第一の羽根２９の上流側へ流入する。そのため、第一の羽根２９の上流側に流入する空気の流速を均一にすることができ、ターボファン１９の回転周波数の整数倍の成分を主成分とする音を低減できる。その結果、ターボファン１９の騒音を低減することができる。
【００５４】
また、主板２６と第一の円筒壁３５との絞りにより、一度、せき止められ、その流速を周方向（回転方向）に均一化されて、第一の羽根２９の上流側へ流入する。そのため、第一の羽根２９の上流側に流入する空気の流速を均一にすることができ、ターボファン１９の回転周波数の整数倍の成分を主成分とする音を低減できる。その結果、ターボファン１９の騒音をより低減させることができる。
【００５５】
第二の還流経路Ｒ２を流れる空気は、シュラウド２７と第二の円筒壁３６との絞りにより、一度、せき止められ、その流速を周方向に均一化されて、第一の羽根２９の上流側へ流入する。そのため、第一の羽根２９の上流側に流入する空気の流速を周方向に均一にすることができ、ターボファン１９の回転周波数の整数倍の成分を主成分とする音を低減できる。その結果、ターボファン１９の騒音をより低減させることができる。
【００５６】
上記の空調用室内ユニット１１においては、第一の円筒壁３５、第二の円筒壁３６それぞれについて、従来の空調用室内ユニット１１０と比較して、約０．７ｄＢＡの騒音低減効果を発揮すると推定され、絞り円盤３３では、約０．５ｄＢＡの騒音低減効果を発揮すると推定される。
【００５７】
図８および図９は、この発明の第二の実施形態を示す図である。全体の構成は、図１から図７に示すものと同様であり、同一構成要素には同一符号を付し、その説明を省略する。
図８および図９において、空調用室内ユニット５１のターボファン１９の延在部２６Ｂ上面には、第二の羽根（流速均一化手段）５２が、主軸２５を中心に等間隔円環状に設けられている。第二の羽根５２は、ターボファン１９が、モータ１８により回転すると、第一の還流経路Ｒ１を流れる空気を半径方向外方へ送り出すように配置されている。
なお、図９においては、表現を簡潔にするため、第二の羽根５２の記載を一部省略している。
【００５８】
上記の構成からなる空調用室内ユニット５１においては、図８に示すように、第一の還流経路Ｒ１を流れる空気が、まず、回転するターボファン１９上の第二の羽根５２により、半径方向外方に押し戻される。そのため、第二の羽根５２より半径方向内方に流入する空気の流量が減少し、絞り円盤３３の環状突起３４にせき止められる空気の流量も減少する。
また、第二の羽根５２より半径方向内方に流入した空気は、回転する第二の羽根５２の影響でかき回され、その周方向の流量、流速が均一化される。
環状突起３４にせき止められた空気は、流量、流速がさらに均一化され、幅Ｌ２の間隙を通り抜け、第一の冷却孔２８を通り抜けて、第一の羽根２９の上流側へ還流する。
【００５９】
上記の構成によれば、第一の還流経路Ｒ１を流れる空気は、第二の羽根５２により半径方向外方へ押し出されるため、第一の羽根２９の上流側へ還流する空気の流量が減る。そのため、還流する空気に起因する、第一の羽根２９に流入する空気流速の不均一を少なくすることができる。
また、第二の羽根５２を回転させることにより、還流する空気をかき混ぜ、還流する空気の流速を均一化させることができる。そのため、第一の羽根２９に流入する空気の流速を均一にすることができ、ターボファン１９の回転周波数の整数倍の成分を主成分とする音を低減できる。
【００６０】
上記の空調用室内ユニット５１おいては、従来の空調用室内ユニット１１０と比較して、第二の羽根５２が、約０．５ｄＢＡの騒音低減効果を発揮すると推定される。
【００６１】
図１０および図１１は、この発明の第三の実施形態を示す図である。全体の構成は、図１から図７に示すものと同様であり、同一構成要素には同一符号を付し、その説明を省略する。
図１０において、空調用室内ユニット７１の天板２４には、天板２４およびターボファン１９の延在部２６Ｂの間と、室内熱交換器２２の下流側とをつなぐパイプ（流速均一化手段）７２が設けられている。パイプ７２は、少なくとも、図１１に示すように、室内熱交換器２２内側の圧力上昇部Ｈが存在する、第一の角部２２Ｂおよび収納部３２のある領域に配置されている。
【００６２】
上記の構成からなる空調用室内ユニット７１においては、図１０に示すように、第一の還流経路Ｒ１を流れる空気が、一部分岐され、天板２４に設けられたパイプ７２により、室内熱交換器２２の下流側にバイパスされる。そのため、絞り円盤３３の環状突起３４にせき止められる空気の流量も減少する。
また、パイプ７２は、図１０および図１１に示すように、少なくとも、第一の角部２２Ｂおよび収納部３２のある領域に配置されているため、還流する空気の特に流速の早い部分をバイパスさせることができる。そのため、還流する空気の周方向の流量、流速が均一化される。
環状突起３４にせき止められた空気は、流量、流速がさらに均一化され、幅Ｌ２の間隙を通り抜け、第一の冷却孔２８を通り抜けて、第一の羽根２９の上流側へ還流する。
【００６３】
上記の構成によれば、第一の還流経路Ｒ１を流れる空気は、パイプ７２により、室内熱交換器２２の下流側にバイパスされるため、第一の羽根２９の上流側へ還流する空気の流量が減る。そのため、還流する空気に起因する、第一の羽根２９に流入する空気流速の不均一を少なくすることができる。
また、パイプ７２は、少なくとも、第一の角部２２Ｂおよび収納部３２のある領域に配置されているため、還流する空気の周方向の流量、流速を均一化させることができる。そのため、第一の羽根２９に流入する空気の流速を均一にすることができ、ターボファン１９の回転周波数の整数倍の成分を主成分とする音を低減できる。
【００６４】
上記の空調用室内ユニット７１においては、従来の空調用室内ユニット１１０と比較して、パイプ７２が、約１．０ｄＢＡの騒音低減効果を発揮すると推定される。
【００６５】
図１２および図１３は、この発明の第四の実施形態を示す図である。全体の構成は、図１から図７に示すものと同様であり、同一構成要素には同一符号を付し、その説明を省略する。
図１２および図１３において、空調用室内ユニット９１のターボファン１９の中央部２６Ａには、径の小さな第二の冷却孔（第二の流通孔、流速均一化手段）９２が、主軸２５を中心に等間隔円環状に、かつ半径方向に距離を変えて多数列設けられている。なお、本実施例では、第二の冷却孔９２の数は４８個としている。
第二の冷却孔９２においては、モータ１８の冷却する空気の流量を確保するために、第二の冷却孔９２の総孔面積を従来の実施例と同等としている。そのため、第二の冷却孔９２の孔数を増やすと、孔の径が小さくなり、孔数を増やすと、孔の径が大きくなる。
【００６６】
上記の構成からなる空調用室内ユニット９１においては、図１２に示すように、第一の還流経路Ｒ１を流れる空気が、まず、第一の円筒壁３５にせき止められる。せき止められた空気は、流量、流速が均一化される。その後、絞り円盤３３の環状突起３４にせき止められる。せき止められた空気は、流量、流速がさらに均一化される。
そして、第二の冷却孔９２において、第二の冷却孔９２の径が小さいため、一度、せき止められる。せき止められた空気は、中央部２６Ａと円盤部３３Ａとの間、および中央部２６Ａと傾斜部３３Ｂの環状突起３４より内側の部分との間に広がり、流量、流速が均一化され、第一の羽根２９の上流側へ還流する。
また、第二の冷却孔９２は、主軸２５を中心に等間隔環状に、かつ半径方向に距離を変えて多数列配置されているので、周方向に対して、均一に還流する空気を通過させている。
【００６７】
上記の構成によれば、第一の還流経路Ｒ１を流れる空気は、径の小さな第二の第二の冷却孔９２により、一度、せき止められ、流量、流速が均一化され、第一の羽根２９の上流側へ還流する。そのため、第一の羽根２９の上流側に流入する空気の流速を均一にすることができ、ターボファン１９の回転周波数の整数倍の成分を主成分とする音を低減できる。その結果、ターボファン１９の騒音を低減することができる。
【００６８】
また、第二の冷却孔９２は、周方向に対して、均一に還流する空気を通過させていため、第一の羽根２９の上流側に流入する空気の流速を均一にすることができる。その結果、ターボファン１９の回転周波数の整数倍の成分を主成分とする音を低減でき、ターボファン１９の騒音を低減することができる。
【００６９】
上記の空調用室内ユニット１１においては、従来の空調用室内ユニット１１０と比較して、第二の冷却孔９２が、約０．３ｄＢＡの騒音低減効果を発揮すると推定される。
【００７０】
なお、上記の実施の形態においては、第一の実施の形態から第四の実施の形態までの４組の組み合わせに適応して説明したが、これら４組の組み合わせに限られることなく、その他さまざまな組み合わせに適応することができるものである。
【００７１】
【発明の効果】
以上説明したように、請求項１に係る発明によれば、前記ファンの回転領域に流入する空気の流速を均一化させる、前記流速均一化手段を備えるため、前記ファンに流入する空気の流速を均一にすることができる。そのため、前記ファンの回転周波数の整数倍の成分を主成分とする音を低減でき、前記ファンの騒音を低減することができるという効果を奏する。
【００７２】
請求項２に係る発明によれば、前記第一の還流経路を流れる空気の流速を均一化することができ、前記ファンに流入する空気の流速を均一にすることができる。そのため、前記ファンの回転周波数の整数倍の成分を主成分とする音を低減でき、前記ファンの騒音を低減することができるという効果を奏する。
【００７３】
請求項３に係る発明によれば、前記第一の還流経路を流れる空気は、前記主板と前記環状突起との絞りにより、その流速を均一化される。そのため、前記ファンに流入する空気の流速を均一にすることができ、前記ファンの回転周波数の整数倍の成分を主成分とする音を低減できる。この結果、前記ファンの騒音を低減することができるという効果を奏する。
【００７４】
請求項４に係る発明によれば、前記第一の還流経路を流れる空気は、前記主板と前記第一の円筒壁との絞りにより、その流速を均一化される。そのため、前記ファンに流入する空気の流速を均一にすることができ、前記ファンの回転周波数の整数倍の成分を主成分とする音を低減できる。その結果、前記ファンの騒音を低減することができるという効果を奏する。
【００７５】
請求項５に係る発明によれば、還流する空気を、前記第二の羽根により、半径方向外側へ送り出すため、前記ファンに流入する空気流速の不均一を少なくすることができる。そのため、前記ファンの回転周波数の整数倍の成分を主成分とする音を低減できる。
また、前記第一の還流経路を流れる空気を、かき混ぜて、還流する空気の流速を均一化させることができる。そのため、前記ファンに流入する空気の流速を均一にすることができ、前記ファンの回転周波数の整数倍の成分を主成分とする音を低減できる。この結果、前記ファンの騒音を低減することができるという効果を奏する。
【００７６】
請求項６に係る発明によれば、還流する空気を、前記パイプにより、前記室内熱交換器の下流側へバイパスさせることができ、前記ファンに流入する空気流速の不均一を少なくすることができる。そのため、前記ファンの回転周波数の整数倍の成分を主成分とする音を低減でき、前記ファンの騒音を低減することができるという効果を奏する。
【００７７】
請求項７に係る発明によれば、前記第一の還流経路を流れる空気は、前記流通孔を通過する際に、その流速を均一化される。そのため、前記ファンに流入する空気の流速を均一にすることができ、前記ファンの回転周波数の整数倍の成分を主成分とする音を低減できる。
また、前記第一の還流経路を流れる空気が、前記ファンの上流側に向かって、周方向に対して均一に、流入することができるため、前記ファンの回転周波数の整数倍の成分を主成分とする音を低減できる。その結果、前記ファンの騒音を低減することができるという効果を奏する。
【００７８】
請求項８に係る発明によれば、前記第二の還流経路を流れる空気の流速を均一化することができるため、前記ファンに流入する空気の流速を均一にすることができる。そのため、前記ファンの回転周波数の整数倍の成分を主成分とする音を低減でき、前記ファンの騒音を低減することができるという効果を奏する。
【００７９】
請求項９に係る発明によれば、前記第二の還流経路を流れる空気は、前記シュラウドと前記第二の円筒壁との絞りにより、その流速を均一化される。そのため、前記ファンに流入する空気の流速を均一にすることができ、前記ファンの回転周波数の整数倍の成分を主成分とする音を低減できる。この結果、前記ファンの騒音を低減することができるという効果を奏する。
【００８０】
請求項１０に係る発明によれば、前記第一の還流経路、および前記第二の還流経路を流れる空気の流速を均一化することができるため、前記ファンに流入する空気の流速をより均一にすることができる。そのため、前記ファンの回転周波数の整数倍の成分を主成分とする音をより低減でき、前記ファンの騒音をさらに低減することができるという効果を奏する。
【００８１】
請求項１１に係る発明によれば、少なくとも２形式以上の前記流速均一化手段を、組み合わせて備えるため、前記ファンに流入する空気の流速をより均一にすることができる。そのため、前記ファンの回転周波数の整数倍の成分を主成分とする音をより低減でき、前記ファンの騒音をさらに低減することができるという効果を奏する。
【００８２】
請求項１２に係る発明によれば、前記ファンの周方向に対して不均一な流速を持つ、前記ファンの上流側へ還流する空気の流れを、均一化する、または、その影響を小さくすることができる。そのため、前記ファンの回転周波数の整数倍の成分を主成分とする音を低減でき、前記ファンの騒音を低減することができるとともに、天井埋込型空気調和機全体の騒音を低減することができて、ユーザーに快適な室内空間を提供することができる。
【図面の簡単な説明】
【図１】本発明による天井埋込型空気調和機の第一の実施形態を示す斜視断面図である。
【図２】本発明による空調用室内ユニットの第一の実施形態を示す要部斜視図である。
【図３】本発明による空調用室内ユニットの第一の実施形態を示す要部断面図である。
【図４】本発明による空調用室内ユニットの第一の実施形態を示す要部平面図である。
【図５】本発明による空調用室内ユニットの第一の実施形態における空気流れを示すベクトル線図である。
【図６】本発明による空調用室内ユニットの第一の実施形態を示す要部斜視図である。
【図７】本発明による空調用室内ユニットの第一の実施形態における空気の圧力分布を示す等圧線図である。
【図８】本発明による空調用室内ユニットの第二の実施形態を示す断面図である。
【図９】本発明による空調用室内ユニットの第二の実施形態を示す要部背面図である。
【図１０】本発明による空調用室内ユニットの第三の実施形態を示す断面図である。
【図１１】本発明による空調用室内ユニットの第三の実施形態における空気の圧力分布を示す等圧線図である。
【図１２】本発明による空調用室内ユニットの第四の実施形態を示す断面図である。
【図１３】本発明による空調用室内ユニットの第四の実施形態を示す要部平面図である。
【図１４】従来の空調用室内ユニットの一例を示す断面図である。
【図１５】従来の空調用室内ユニットの一例を示す要部断面図である。
【符号の説明】
１０  天井埋込型空気調和機
１１、５１、７１、９１  空調用室内ユニット
１２  空調用室外ユニット
１３  冷媒配管
１４  圧縮機
１５  室外熱交換器
１７  ケーシング
１８  モータ（駆動部）
１９  ターボファン（ファン）
２０  吸込口
２１  ベルマウス（吸込口）
２２  室内熱交換器
２４  天板
２６  主板
２７  シュラウド
２８  第一の冷却孔（第一の流通孔）
２９  第一の羽根
３３  絞り円盤（円盤）
３４  環状突起（流速均一化手段）
３５  第一の円筒壁（流速均一化手段）
３６  第二の円筒壁（流速均一化手段）
Ｒ１  第一の還流経路
Ｒ２  第二の還流経路
５２  第二の羽根（流速均一化手段）
７２  パイプ（流速均一化手段）
９２  第二の冷却孔（第二の流通孔、流速均一化手段）
【図１】
2004156886.tif 000003
【図２】
2004156886.tif 000004
【図３】
2004156886.tif 000005
【図４】
2004156886.tif 000006
【図５】
2004156886.tif 000007
【図６】
2004156886.tif 000008
【図７】
2004156886.tif 000009
【図８】
2004156886.tif 000010
【図９】
2004156886.tif 000011
【図１０】
2004156886.tif 000012
【図１１】
2004156886.tif 000013
【図１２】
2004156886.tif 000014
【図１３】
2004156886.tif 000015
【図１４】
2004156886.tif 000016
【図１５】
2004156886.tif 000017